(57)【要約】【課題】データの複製或いはバックアップの装置、及びそのデータ伝送接続の制御方法の提供。【解決手段】本発明は高速シリアル伝送インタフェースのデータ伝送装置及び制御方法を提供し、それは制御ユニット、該制御ユニットに接続された少なくとも一つの第１保存装置及び少なくとも一つの第２保存装置、データ伝送路線の切換に用いられる少なくとも一つの切換器を包含する。各該切換器と該制御ユニット、第２保存装置及びコンピュータが接続され、該切換器を介してデバイスがコンピュータに接続されてデータ伝送が実行されるか、或いは切換により独立操作可能なデータ伝送制御装置とされ、保存装置の間のデータ伝送を実行し、且つ自動検出モードと手動モードによりコンピュータに接続されるか或いはデータ伝送装置が独立操作されるかが制御される。【選択図】図１
2009129243.tif 000002
【特許請求の範囲】
【請求項１】
高速シリアル伝送インタフェースの装置をコンピュータに接続するか或いは独立操作でデータ複製できるようにするデータ伝送装置において、
高速シリアル伝送インタフェースの制御ユニットと、
該制御ユニットに接続された少なくとも一つの第１保存装置と、
少なくとも一つの第２保存装置と、
データ伝送路線を切り換えるのに用いられ、各切換器は第１伝送線及び制御回路で該制御ユニットに接続され、第２伝送線で該第２保存装置に接続され、第３伝送線で該コンピュータに接続される、少なくとも一つの切換器と、
を包含し、
該切換器の切換により、この装置が独立操作可能とされてこれら第１保存装置と第２保存装置の間のデータ複製を行うか、或いは該コンピュータと接続されて該コンピュータと該第２保存装置の間のデータアクセスを行うことを特徴とする、データ伝送装置。
【請求項２】
請求項１記載のデータ伝送装置において、該第１保存装置、該第２保存装置、該第１伝送線、及び該第２伝送線が高速シリアル伝送インタフェースとされたことを特徴とする、データ伝送装置。
【請求項３】
請求項１又は２記載のデータ伝送装置において、該高速シリアル伝送インタフェースがＳＡＴＡ伝送インタフェース（Ｓｅｒｉａｌ  Ａｄｖａｎｃｅｄ  Ｔｅｃｈｎｏｌｏｇｙ  Ａｔｔａｃｈｍｅｎｔ）とされたことを特徴とする、データ伝送装置。
【請求項４】
請求項１又は２記載のデータ伝送装置において、該高速シリアル伝送インタフェースがシリアルＳＣＳＩ伝送インタフェース（ＳＡＳ：Ｓｅｒｉａｌ  Ａｔｔａｃｈｅｄ  ＳＣＳＩ）とされたことを特徴とする、データ伝送装置。
【請求項５】
請求項１記載のデータ伝送装置において、該第１保存装置及び第２保存装置がハードディスクドライブ或いは光ディスクドライブとされたことを特徴とする、データ伝送装置。
【請求項６】
請求項１記載のデータ伝送装置において、該第３伝送線がＵＳＢ或いはｅＳＡＴＡ（Ｅｘｔｅｒｎａｌ  Ｓｅｒｉａｌ  ＡＴＡ）或いはシリアルＳＣＳＩ伝送インタフェース（ＳＡＳ：Ｓｅｒｉａｌ  Ａｔｔａｃｈｅｄ  ＳＣＳＩ）の伝送インタフェースとされたことを特徴とする、データ伝送装置。
【請求項７】
データ伝送の制御方法において、該方法は、高速シリアル伝送インタフェースの装置をコンピュータと接続してデータ伝送できるようにするか、或いは独立操作によりデータ複製を行えるようにし、それは、第１保存装置を制御ユニットに接続し、該制御ユニットを切換器に接続し、該切換器を第２保存装置に接続し、及び伝送線でコンピュータに接続し、該制御ユニットは自動検出モードと手動モードで該切換器を切り換え、該第２保存装置をコンピュータに接続するか、或いは該第２保存装置を該制御ユニットに接続することを特徴とする、データ伝送の制御方法。
【請求項８】
請求項７記載のデータ伝送の制御方法において、自動検出モードに設定されている時は、該制御ユニットは該伝送線がコンピュータに接続されているかを検出し、該伝送線がコンピュータに接続されているときは、該切換器は自動的に第２保存装置を該コンピュータに接続して第２保存装置とコンピュータの間のデータ伝送を行い、該伝送線がコンピュータに未接続であると検出した時は、切換器は自動的に第２保存装置を制御ユニットに接続し、この切換により独立操作可能なデータ伝送制御システムを形成し、第１保存装置と第２保存装置の間のデータ伝送を実行することを特徴とする、データ伝送の制御方法。
【請求項９】
請求項７記載のデータ伝送の制御方法において、自動検出モードに設定されている時は  手動モードに設定されている時、制御ユニットは制御信号を生成して該制御回路を通して該切換器を切り換え、コンピュータと接続する必要がある時、制御信号が該切換器を切り換えて、第２保存装置をコンピュータに接続し、コンピュータが第２保存装置を読み取れるようにし、独立操作可能なデータ伝送制御システムを形成する必要がある時は、該制御信号が該切換器を切り換え、第２保存装置を該切換器を通して制御ユニットに接続し、第１保存装置と第２保存装置の間のデータ伝送を可能とし、これによりデータバックアップ或いは記録の機能を提供することを特徴とする、データ伝送の制御方法。
【発明の詳細な説明】
【技術分野】
【０００１】
本発明は一種のデータ伝送装置及び制御方法に係り、特に、一種の、データの複製或いはバックアップの装置、及びそのデータ伝送接続の制御方法に関する。
【背景技術】
【０００２】
情報化時代の大量のデータの発生と流通に伴い、データのバックアップ、複製等の要求はますます多くなり、例えばＣＤの大量複製、或いはコンピュータ、ネットワークデータのバックアップ、ハードディスクシステム復原、複数のディスクドライブ間のデータ複製等は、いずれもコピー機或いはバックアップコントロールシステムにより処理される。現在市販されているコピー機は、コントローラ及び複数のハードディスクドライブ或いは光ディスクドライブで構成され、コントローラーを通してハードディスクドライブ或いは光ディスクドライブの間のデータの複製或いは記録が行われる。
【０００３】
高速シリアル伝送インタフェース技術の発展に伴い、シリアルＳＣＳＩ（ＳＡＳ：Ｓｅｒｉａｌ  Ａｔｔａｃｈｅｄ  ＳＣＳＩ）コントロールインタフェース、及びＳＡＴＡ（Ｓｅｒｉａｌ  Ａｄｖａｎｃｅｄ  Ｔｅｃｈｎｏｌｏｇｙ  Ａｔｔａｃｈｍｅｎｔ）コントロールインタフェースも新時代のコピー機或いはデータバックアップシステムに応用され、ＩＤＥパラレルインタフェースと比較すると、更に快速な伝送速度を提供できる。
【発明の開示】
【発明が解決しようとする課題】
【０００４】
独立操作式のＳＡＴＡ或いはＳＡＳインタフェースのコピー機は、複数のＳＡＴＡ或いはＳＡＳハードディスクドライブ或いは光ディスクドライブをＳＡＴＡ或いはＳＡＳ伝送線でＳＡＴＡ或いはＳＡＳコントローラに接続し、これによりディスクドライブの間のデータの複製或いは記録を行う。この高速シリアルインタフェースのコピー機はただ独立運転のみ行え、もしそのうち一台のＳＡＴＡ或いはＳＡＳディスクドライブを直接コンピュータに接続し、コンピュータとの間のデータ伝送を行おうとしても、現在のシステムはこの機能を達成できない。このため使用者の多機能性の要求を満足させることはできない。
【０００５】
本発明の目的は、一種のデータ伝送装置を提供し、データ伝送路線を切り換えられる切換器を配設することにより、高速シリアル伝送インタフェース（ＳＡＴＡ或いはＳＡＳインタフェース）のデータ伝送装置を独立操作可能とし、また、コンピュータと接続可能とし、これにより更に強大な機能を提供できるようにし、並びにデータ伝送路線の切換を更に快速、容易とすることにある。
【課題を解決するための手段】
【０００６】
本発明は、高速シリアル伝送インタフェース（ＳＡＴＡ或いはＳＡＳインタフェース）の制御ユニット、該制御ユニットに接続された少なくとも一つの第１保存装置及び少なくとも一つの第２保存装置、データ伝送路線の切換に用いられる少なくとも一つの切換器を包含する。各該切換器は第１伝送線と制御回路を介して該制御ユニットに接続され、第２伝送線を介して該第２保存装置と接続され、第３伝送線を介してコンピュータと接続される。
【０００７】
コンピュータと接続してデータ伝送する必要がある時は、制御ユニットは該切換器を通して第２保存装置をコンピュータに接続してデータ伝送を行うか、或いは該切換器を通して第２保存装置を該制御ユニットに接続し、独立操作可能なデータ伝送制御システムとなし、第１保存装置と第２保存装置の間のデータ伝送を実行する。該切換器の数量は第２保存装置の数量に合わせて設置され、どの保存装置であってもコンピュータに接続するときは、一つの切換器に接続して、該切換器を介して該コンピュータに接続する必要がある。
【０００８】
本発明のデータ伝送の制御方法は自動検出モードと手動モードに分けられる。自動検出モードに設定されている時は、該制御ユニットは第３伝送線がコンピュータに接続されているかを検出し、第３伝送線がコンピュータに接続されているときは、該切換器は自動的に第２保存装置を該コンピュータに接続して第２保存装置とコンピュータの間のデータ伝送を行う。第３伝送線がコンピュータに未接続であると検出した時は、切換器は自動的に第２保存装置を制御ユニットに接続し、この切換により独立操作可能なデータ伝送制御システムを形成し、第１保存装置と第２保存装置の間のデータ伝送を実行する。
【０００９】
手動モードに設定されている時、制御ユニットは制御信号を生成して該制御回路を通して該切換器を切り換える。コンピュータと接続する必要がある時、制御信号が該切換器を切り換えて、第２保存装置をコンピュータに接続し、コンピュータが第２保存装置を読み取れるようにする。独立操作可能なデータ伝送制御システムを形成する必要がある時は、該制御信号が該切換器を切り換え、第２保存装置を該切換器を通して制御ユニットに接続し、第１保存装置と第２保存装置の間のデータ伝送を可能とし、これによりデータバックアップ或いは記録の機能を提供する。
【発明の効果】
【００１０】
本発明は、一種のデータ伝送装置を提供し、データ伝送路線を切り換えられる切換器を配設することにより、高速シリアル伝送インタフェース（ＳＡＴＡ或いはＳＡＳインタフェース）のデータ伝送装置を独立操作可能とし、また、コンピュータと接続可能とし、これにより更に強大な機能を提供できるようにし、並びにデータ伝送路線の切換を更に快速、容易とすることにある。
【発明を実施するための最良の形態】
【００１１】
図１は本発明のデータ伝送装置の第１実施例のブロック図である。本発明は制御ユニット１０、少なくとも一つの第１保存装置２０、少なくとも一つの第２保存装置３０を包含し、第１保存装置２０は該制御ユニット１０に接続され、本実施例では該第１保存装置２０は複数個設けられる。切換器４０がデータ伝送路線の切り換えに用いられ、それは第１伝送線５１及び制御回路５２を介して該制御ユニット１０に接続され、第２伝送線５３で第２保存装置３０に接続され、第３伝送線５４でコンピュータ６０に接続されてデータ伝送を行う。或いは、切換器４０を介して第２保存装置３０が該制御ユニット１０に接続されて、この切り換えにより独立操作可能なデータ伝送制御システムが形成されて、第１保存装置２０と第２保存装置３０の間のデータ伝送が実行される。
【００１２】
該第１伝送線５１と第２伝送線５３は高速シリアル伝送インタフェースとされ、ＳＡＴＡ或いはシリアルＳＣＳＩインタフェース（ＳＡＳ：Ｓｅｒｉａｌ  Ａｔｔａｃｈｅｄ
ＳＣＳＩ）伝送線とされ得る。第３伝送線５４はＵＳＢ伝送インタフェース或いはｅＳＡＴＡ（Ｅｘｔｅｒｎａｌ  Ｓｅｒｉａｌ  ＡＴＡ）或いはシリアルＳＣＳＩインタフェース（ＳＡＳ：Ｓｅｒｉａｌ  Ａｔｔａｃｈｅｄ  ＳＣＳＩ）等の伝送インタフェースとされ得るが、これに限定されるわけではない。
【００１３】
上述の第１保存装置２０と第２保存装置３０は高速シリアル伝送インタフェースのハードディスクドライブ或いは光ディスクドライブとされ、高速シリアル伝送インタフェースはＳＡＴＡインタフェース或いはＳＡＳインタフェースとされ得る。
【００１４】
本発明のデータ伝送の制御方法は自動検出モードと手動モードに分けられる。自動検出モードに設定されている時は、図２に示されるように、該制御ユニットが第３伝送線がコンピュータに接続されているかを検出し、第３伝送線がコンピュータに接続されているときは、該切換器は自動的に第２保存装置を該コンピュータに接続して第２保存装置とコンピュータの間のデータ伝送を行う。第３伝送線がコンピュータに未接続であると検出した時は、切換器は自動的に第２保存装置を制御ユニットに接続し、この切換により独立操作可能なデータ伝送制御システムを形成し、第１保存装置と第２保存装置の間のデータ伝送を実行する。
【００１５】
手動モードに設定されている時、図３に示されるように、制御ユニットは制御信号を生成して該制御回路を通して該切換器を切り換える。コンピュータと接続する必要がある時、制御信号が該切換器を切り換えて、第２保存装置をコンピュータに接続し、コンピュータが第２保存装置を読み取れるようにする。独立操作可能なデータ伝送制御システムを形成する必要がある時は、該制御信号が該切換器を切り換え、第２保存装置を該切換器を通して制御ユニットに接続し、第１保存装置と第２保存装置の間のデータ伝送を可能とし、これによりデータバックアップ或いは記録の機能を提供する。
【００１６】
図４は本発明のデータ伝送装置の第２実施例のブロック図である。それは複数の保存装置とコンピュータが接続されてデータ伝送を行う構造を示す。それは制御ユニット１０、少なくとも一つの第１保存装置２０、及び複数の第２保存装置３０を包含し、第１保存装置２０は該制御ユニット１０に接続され、本実施例中、該第１保存装置２０は複数個が設けられている。複数の切換器４０がデータ伝送路線の切り換えに用いられ、各切換器４０はそれぞれ第１伝送線５１及び制御回路５２を介して制御ユニット１０に接続され、第２伝送線５３で第２保存装置３０と接続され、第３伝送線５４でコンピュータ６０と接続されている。コンピュータ６０とデータ伝送を行う時、該切換器４０を通して第２保存装置３０が該制御ユニット１０に接続され、この切り換えにより独立操作可能なデータ伝送制御システムが形成されて、第１保存装置２０と第２保存装置３０の間のデータ伝送が行われる。切換器４０の数量は第２保存装置３０に合わせて設置され、即ち第２保存装置３０をコンピュータ６０に接続する場合は、一つの切換器４０が配設される。本実施例のデータ伝送制御方法は第１実施例と同じであり、同様に、自動検出モード或いは手動モードによりコントローラーが切り換えられ、第２保存装置とコンピュータが接続されるか、第２保存装置と制御ユニットが接続されて独立操作可能なデータ伝送制御システムが形成される。
【００１７】
本発明は切換器の配設により、高速シリアル伝送インタフェース（ＳＡＴＡ或いはＳＡＳインタフェース）のデータ伝送システムを独立運転させるか或いはコンピュータと接続でき、その機能及び応用は更に強大であり、実用的で、且つ切換制御が快速、容易であり、構造が簡単で、特許の要件に符合する。
【図面の簡単な説明】
【００１８】
【図１】本発明のデータ伝送装置の第１実施例のブロック図である。
【図２】本発明の自動検出モードのフローチャートである。
【図３】本発明の手動モードのフローチャートである。
【図４】本発明のデータ伝送装置の第２実施例のブロック図である。
【符号の説明】
【００１９】
１０  制御ユニット            ２０  第１保存装置
３０  第２保存装置            ４０  切換器
５１  第１伝送線              ５２  制御回路
５３  第２伝送線              ５４  第３伝送線
６０  コンピュータ
【図１】
2009129243.tif 000003
【図２】
2009129243.tif 000004
【図３】
2009129243.tif 000005
【図４】
2009129243.tif 000006